(57)【要約】【課題】天井上部材に水蒸気が付着することなく、該天井上部材の錆や損傷を防止することができるエレベータ用空調装置を提供する。【解決手段】本発明は、乗りかごの天井上（かご上３）に載置され、該乗りかご内部を冷房可能なエレベータ用空調装置１であって、内部機器１１を収容する筐体９と、筐体９内で発生する結露水を蒸散させる蒸散装置３１と、蒸散装置３１により結露水が蒸散して発生する水蒸気が筐体９に形成される排気口９ｄから排出する方向である蒸気排出方向の位置に設けられ、水蒸気を受け止める蒸気カバー３５（蒸気受止手段）とを備えることを特徴とする。【選択図】図１
2009249127.tif 000002
【特許請求の範囲】
【請求項１】
乗りかごの天井上に載置され、前記乗りかご内部を冷房可能なエレベータ用空調装置であって、
内部機器を収容する筐体と、
前記筐体内で発生する結露水を蒸散させる蒸散装置と、
前記蒸散装置により前記結露水が蒸散して発生する水蒸気が前記筐体に形成される排気口から排出する方向である蒸気排出方向の位置に設けられ、前記水蒸気を受け止める蒸気受止手段と
を備えることを特徴とするエレベータ用空調装置。
【請求項２】
前記蒸気受止手段の大きさは、前記水蒸気が前記排出口から前記筐体外へ排出するする排出範囲よりも大きいことを特徴とする請求項１に記載のエレベータ用空調装置。
【請求項３】
前記蒸気受止手段における前記水蒸気が付着する付着面の下端部には、前記水蒸気が前記蒸気受止手段に付着して発生する水滴を一定方向に集めることが可能な水滴案内部が設けられていることを特徴とする請求項１又は請求項２に記載のエレベータ用空調装置。
【請求項４】
前記蒸気受止手段は、複数に分割され、
前記複数に分割される前記蒸気受止手段は、固定手段により組み立てられることを特徴とする請求項１乃至請求項３のいずれか１項に記載のエレベータ用空調装置。
【請求項５】
前記蒸気受止手段は、前記筐体に固定されることを特徴とする請求項１乃至請求項４のいずれか１項に記載のエレベータ用空調装置。
【請求項６】
前記蒸気受止手段は、前記乗りかごの天井上に配置される天井上部材に固定されることを特徴とする請求項１乃至請求項４のいずれか１項に記載のエレベータ用空調装置。
【請求項７】
前記蒸気受止手段の下側には、前記水蒸気が前記蒸気受止手段に付着して落下する水滴を集溜可能な水滴集溜手段が設けられていることを特徴とする請求項１乃至請求項６のいずれか１項に記載のエレベータ用空調装置。
【請求項８】
前記水滴集溜手段は、前記乗りかごの天井に対して傾斜して配置されることを特徴とする請求項７に記載のエレベータ用空調装置。
【発明の詳細な説明】
【技術分野】
【０００１】
本発明は、エレベータ用空調装置に関し、特に、乗りかごの天井上に載置され、該乗りかご内部を冷房可能なエレベータ用空調装置に関する。
【背景技術】
【０００２】
従来から、エレベータ装置を構成するゴンドラ（以下、乗りかご）には、乗りかご内部を冷房可能なエレベータ用空調装置が設けられている。このエレベータ用空調装置は、乗りかご内の空間確保や美観等を考慮して、乗りかごの天井上（すなわち、かご上）に載置されることが多い（例えば、特許文献１参照）。
【０００３】
ところで、エレベータ用空調装置では、冷房運転時に蒸発器で熱交換される空気の露点が低下して水分が凝縮して、結露水（いわゆる、ドレン水）が発生する。この結露水は、蒸発器等の内部機器の下側に設けられるドレンパンに集溜される。
【０００４】
そして、ドレンパンに集溜された結露水が蒸散装置で蒸散して発生する水蒸気がエレベータ用空調装置外（すなわち、昇降路）に排出することによって、熱交換の効率を向上させることができる。
【特許文献１】特開平２−１４７５９０号公報（第１頁−第３頁、第１図）
【発明の開示】
【発明が解決しようとする課題】
【０００５】
しかしながら、従来のエレベータ用空調装置では、蒸散装置により水蒸気がエレベータ用空調装置外（すなわち、昇降路）に排出して飛散すると、乗りかごの天井上に配置される天井上部材（例えば、上梁やシーブ梁、ウデ、空調装置取付ステーなど）に水蒸気が付着してしまい、錆が発生してしまうことや、天井上部材が損傷してしまうことがあった。
【０００６】
そこで、本発明は、このような状況に鑑みてなされたものであり、天井上部材に水蒸気が付着することなく、該天井上部材の錆や損傷を防止することができるエレベータ用空調装置を提供することを目的とする。
【課題を解決するための手段】
【０００７】
上述した状況を解決するため、本発明は、次のような特徴を有している。まず、本発明の第１の特徴は、乗りかごの天井上に載置され、乗りかご内部を冷房可能なエレベータ用空調装置であって、内部機器を収容する筐体と、筐体内で発生する結露水を蒸散させる蒸散装置と、蒸散装置により結露水が蒸散して発生する水蒸気が筐体に形成される排気口から排出する方向である蒸気排出方向の位置に設けられ、水蒸気を受け止める蒸気受止手段とを備えることを要旨とする。
【０００８】
かかる特徴によれば、蒸気排出方向の位置に蒸気受止手段が設けられていることによって、乗りかごの天井上に設けられる天井上部材（例えば、上梁やシーブ梁、ウデ、空調装置取付ステーなど）に水蒸気が付着することなく、天井上部材の錆や損傷を防止することができる。
【発明の効果】
【０００９】
本発明によれば、天井上部材に水蒸気が付着することなく、該天井上部材の錆や損傷を防止することができるエレベータ用空調装置を提供することができる。
【発明を実施するための最良の形態】
【００１０】
次に、本発明に係るエレベータ用空調装置の一例について、図面を参照しながら説明する。なお、以下の図面の記載において、同一または類似の部分には、同一又は類似の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれている。
【００１１】
［第１の実施の形態］
（エレベータ用空調装置の構成）
まず、第１の実施の形態に係るエレベータ用空調装置の構成について、図１〜図４を参照しながら説明する。図１は、第１の実施の形態に係るエレベータ用空調装置を示す斜視図であり、図２は、第１の実施の形態に係るエレベータ用空調装置を示す側面図であり、図３は、第１の実施の形態に係るエレベータ用空調装置を示す断面図であり、図４は、第１の実施の形態に係るエレベータ用空調装置の内部の概略構成を示す模式図である。
【００１２】
図１及び図２に示すように、エレベータ用空調装置１は、乗りかごの天井上（以下、かご上３）に載置され、乗りかご内部を冷房可能なものである。このエレベータ用空調装置１は、空調装置取付ステー（以下、取付ステー５）によりかご上３に固定されている。具体的には、エレベータ用空調装置１と取付ステー５とは、ネジＮにより固定されている。また、取付ステー５は、ネジＮにより上梁７Ａに固定されている。
【００１３】
このエレベータ用空調装置１は、上板９Ａと、底板９Ｂと、複数の側板９Ｃとによって構成される筐体９を備えている。この筐体９内は、仕切板９Ｄにより２つの部屋に分割されている。側板９Ｃにおける正面側には、吸気口９ａと、ダクト１０が連結される排気口９ｂとが形成されている。また、側板９Ｃにおける背面側には、吸気口９ｃと排気口９ｄが形成されている。
【００１４】
筐体９は、図３及び図４に示すように、複数の内部機器１１を収容する。内部機器１１は、周囲の熱を吸収して冷却した空気を冷風側ファン１３を介して乗りかご内へ送り出す蒸発器１５と、冷媒を循環させる圧縮器１７と、蒸発器１５が周囲の熱を吸収できるように冷媒の圧力や温度を下げる減圧装置１９と、蒸発器１５で吸収した熱を排熱側ファン２１を介して筐体９外へ排出する凝縮器２３と、エレベータ用空調装置１を制御する制御基板（不図示）とによって大略構成されている。
【００１５】
蒸発器１５の下側には、該蒸発器１５（筐体９内）で熱交換される空気の露点が低下して水分が凝縮して発生する結露水（いわゆる、ドレン水）を受け止めるドレン受け２５が設けられている。このドレン受け２５には、該ドレン受け２５に集溜された結露水をドレンパン２７に流すホース２９が連結されている。
【００１６】
筐体９の底板９Ｂ側には、結露水を集溜するドレンパン２７が設けられている。すなわち、ドレンパン２７は、ドレン受け２５とホース２９を介して連結されている。
【００１７】
このドレンパン２７には、結露水を蒸散させる蒸散装置３１が隣接されている。また、ドレンパン２７には、結露水を筐体９外へ案内する案内ノズル３３が連結されている。すなわち、案内ノズル３３の一端は、ドレンパン２７に連結し、案内ノズル３３の他端は、排気口９ｄを挿通して筐体９外へ伸びている。
【００１８】
蒸気排出方向の位置には、蒸散装置により結露水が蒸散して発生する水蒸気を受け止める板状の蒸気受止手段（以下、蒸気カバー３５）が設けられている。なお、蒸気排出方向とは、水蒸気が筐体９に形成される排気口９ｄから排出する方向である。
【００１９】
蒸気カバー３５は、筐体９に固定されている。具体的には、蒸気カバー３５は、筐体９の側板９Ｃ（背面側）にカバー取付部材３７を介して固定されている。この蒸気カバー３５とカバー取付部材３７とは、ネジＮにより固定されている。また、カバー取付部材３７は、ネジＮにより筐体９の側板９Ｃ（背面側）に固定されている。
【００２０】
蒸気カバー３５は、図１及び図２では、筐体９の側板９Ｃ（背面側）に対して傾斜して配置されているが、必ずしも傾斜して配置される必要はなく、例えば、筐体９の側板９Ｃと略平行で配置されても勿論よい。
【００２１】
蒸気カバー３５の大きさは、水蒸気を確実に受け止めるために、水蒸気が排出口（排気口９ｄを挿通して筐体９外へ伸びる案内ノズル３３の一端）から筐体９外へ排出するする排出範囲よりも大きいことが好ましい。
【００２２】
次に、エレベータ用空調装置１の動作について、簡単に説明する。図２及び図３に示すように、エレベータ用空調装置１の冷房運転時には、蒸発器１５、圧縮器１７、減圧装置１９、凝縮器２３からなる冷凍サイクル内を冷媒が循環する。
【００２３】
具体的には、蒸発器１５により筐体９近傍（外部）の熱を吸収するとともに、凝縮器２３により筐体９外（昇降路）へ熱を排出する。つまり、冷風側ファン１３が作動していることで、吸気口９ａから取り入れて蒸発器１５を通過することにより温度が下がった空気が排気口９ｂからダクト１０を通過して乗りかご内へ送風される。一方、排熱側ファン２１が作動していることで、吸気口９ｃから取り入れて凝縮器２３を通過することにより温度が上がった空気が排気口９ｄを通過して筐体９外へ送風される。
【００２４】
このとき、蒸発器１５で熱交換される空気の露点が低下して水分が凝縮して発生する結露水を、ドレン受け２５とホース２９を介して連結されるドレンパン２７で集溜する。この集溜された結露水は、蒸散装置３１により蒸散して水蒸気となって案内ノズル３３を通過して、排気口９ｄから筐体９外へ送風される空気と一緒に筐体９外へ排出される。そして、筐体９外へ排出された水蒸気は、蒸気カバー３５に付着することとなる。
【００２５】
（第１の実施の形態に係る作用・効果）
以上説明した第１の実施の形態に係るエレベータ用空調装置１によれば、蒸気排出方向の位置に蒸気カバー３５（蒸気受止手段）が設けられていることによって、かご上３に設けられる天井上部材７（例えば、上梁７Ａやシーブ梁７Ｂ、ウデ７Ｃ、取付ステー５など）に水蒸気が付着することなく、天井上部材７の錆や損傷を防止することができる。
【００２６】
また、蒸気カバー３５の大きさが排出範囲よりも大きいことによって、水蒸気を確実に受け止めることができ、確実に天井上部材７の錆や損傷を防止することができる。
【００２７】
さらに、蒸気カバー３５が筐体９の側板９Ｃ（背面側）に対して傾斜して配置されていることによって、蒸気排出方向を変化さえて、水蒸気を天井上部材７からできるだけ離すことが可能となるとともに、蒸気カバー３５に付着して落下する水滴をも天井上部材７から離すことが可能となるため、確実に天井上部材７の錆や損傷を防止することができる。
【００２８】
（変更例１）
上述した第１の実施の形態に係る蒸気カバー３５は、板状であるものとして説明したが、以下のように変更してもよい。なお、上述した第１の実施の形態に係るエレベータ用空調装置１と同一部分には同一の符号を付して、相違する部分を主として説明する。
【００２９】
図５は、変更例１に係るエレベータ用空調装置を示す斜視図であり、図６は、変更例１に係る蒸気カバーのみを示す斜視図であり、図７は、変更例１に係るエレベータ用空調装置を示す側面図である。
【００３０】
図５〜図７に示すように、蒸気カバー３５における水蒸気が付着する付着面３５ａの下端部には、水蒸気が該蒸気カバー３５に付着して発生する水滴を一定方向に集めることが可能な水滴案内部３９（レール）が設けられている。
【００３１】
具体的には、水滴案内部３９は、板状の蒸気カバー３５の下端部が折り曲げられることにより形成されている。この水滴案内部３９は、該水滴案内部３９内を流れる水滴に速度をつけるために、かご上３に対して傾斜していることが好ましい。
【００３２】
以上説明した変更例１に係るエレベータ用空調装置１によれば、蒸気カバー３５に水滴案内部３９が設けられていることによって、水蒸気が該蒸気カバー３５に付着して発生する水滴を一定方向に集めることができ、蒸気カバー３５から落下する水滴天井上部材７（例えば、上梁７Ａやシーブ梁７Ｂ、ウデ７Ｃ、取付ステー５など）から離すことが可能となるため、確実に天井上部材７の錆や損傷を防止することができる。
【００３３】
（変更例２）
上述した第１の実施の形態に係る蒸気カバー３５は、板状であるものとして説明したが、以下のように変更してもよい。なお、上述した第１の実施の形態に係るエレベータ用空調装置１と同一部分には同一の符号を付して、相違する部分を主として説明する。
【００３４】
図８は、変更例２に係るエレベータ用空調装置を示す斜視図であり、図９（ａ）は、変更例２に係る蒸気カバーのみを示す斜視図であり、図９（ｂ）は、変更例２に係る第１カバー３５Ａ及び第２カバー３５Ｂの連結部分を示す図である。
【００３５】
図８及び図９に示すように、蒸気カバー３５は、複数に分割されている。この複数に分割される蒸気カバー３５は、ネジやナット等の固定手段４１により組み立てられる。
【００３６】
すなわち、蒸気カバー３５は、一端が折れ曲がる第１折曲部４３Ａを有する第１カバー３５Ａと、一端が折れ曲がる第２折曲部４３Ｂを有し、かつ該第１カバー３５Ａとネジやナット等の固定手段４１により連結される第２カバー３５Ｂとを少なくとも備えている。この第１折曲部４３Ａと第２折曲部４３Ｂとが付き合わされて固定手段４１により連結されることとなる。
【００３７】
なお、図面では、蒸気カバー３５は、第１カバー３５Ａと第２カバー３５Ｂとの２つに分割されているが、必ずしも２つで分割される必要はなく、３つ以上で分割されていても勿論よい。
【００３８】
以上説明した変更例２に係るエレベータ用空調装置１によれば、蒸気カバー３５が複数に分割されていることによって、蒸気カバー３５が１枚で形成されている場合と比べて、各第１カバー３５Ａ及び第２カバー３５Ｂが小さくない、作業スペースが狭いとされるかご上３で蒸気カバー３５を設置する際の作業が行いやすくなる。
【００３９】
（変更例３）
上述した第１の実施の形態に係る蒸気カバー３５は、カバー取付部材３７を介して筐体９の側板９Ｃに固定されているものとして説明したが、以下のように変更してもよい。なお、上述した第１の実施の形態に係るエレベータ用空調装置１と同一部分には同一の符号を付して、相違する部分を主として説明する。
【００４０】
図１０は、変更例３に係るエレベータ用空調装置を示す斜視図であり、図１１は、変更例３に係るエレベータ用空調装置を示す側面図であり、図１２は、変更例３に係るエレベータ用空調機近傍（かご上３）を示す上面図である。
【００４１】
図１０〜図１２に示すように、蒸気カバー３５は、かご上３に配置される天井上部材７に固定されている。具体的には、蒸気カバー３５は、上梁７Ａにカバー取付部材３７を介して固定されている。この蒸気カバー３５とカバー取付部材３７とは、ネジＮにより固定されている。また、カバー取付部材３７は、上梁７Ａに固定されている。
【００４２】
なお、蒸気カバー３５は、必ずしも上梁７Ａにカバー取付部材３７を介して固定されている必要はなく、例えば、シーブ梁７Ｂやウデ７Ｃ、取付ステー５などの天井上部材７に固定されていても勿論よい。
【００４３】
以上説明した変更例３に係るエレベータ用空調装置１によれば、蒸気カバー３５が天井上部材７に固定されていることによって、天井上部材７からエレベータ用空調装置１までの距離が長い場合であっても、天井上部材７から蒸気カバー３５までの距離を一定に保つことができ、天井上部材７に水蒸気が当たることを確実になくすることができる。
【００４４】
［第２の実施の形態］
次に、第２の実施の形態に係るエレベータ用空調装置１の構成について、図１３及び図１４を参照しながら説明する。なお、上述した第１の実施の形態に係るエレベータ用空調装置１と同一部分には同一の符号を付して、相違する部分を主として説明する。
【００４５】
図１３は、第２の実施の形態に係るエレベータ用空調装置を示す斜視図であり、図１４は、第２の実施の形態に係るエレベータ用空調装置を示す側面図であり、
図１３及び図１４に示すように、蒸気カバー３５（蒸気受止手段）の下側には、水蒸気が該蒸気カバー３５に付着して落下する水滴を集溜可能な水滴集溜手段４５が設けられている。この水滴集溜手段４５は、乗りかごの天井（かご上３）と略平行に配置されている。
【００４６】
なお、水滴集溜手段４５は、必ずしも乗りかごの天井と略平行に配置されている必要はなく、水滴集溜手段４５に集溜された水滴を一定方向に集めやすくするために、例えば、図１５に示すように、乗りかごの天井に対して傾斜して配置されていても勿論よい。
【００４７】
（第２の実施の形態に係る作用・効果）
以上説明した第２の実施の形態に係るエレベータ用空調装置１によれば、蒸気カバー３５（蒸気受止手段）の下側に水滴集溜手段４５が設けられていることによって、蒸気カバー３５に付着して落下する水滴がかご上３で飛散することを防止することができ、乗りかご内に水滴が浸入してしまうことを防止することができる。
【００４８】
［その他の実施の形態］
上述したように、本発明の実施の形態を通じて本発明の内容を開示したが、この開示の一部をなす論述及び図面は、本発明を限定するものであると理解すべきではない。
【００４９】
具体的には、蒸気カバー３５は、ネジＮでカバー取付部材３７に固定されているものとして説明したが、これに限定されるものではなく、溶接などカバー取付部材３７に固定可能なものであれば何でもよいことは勿論である。同様に、カバー取付部材３７などが、天井上部材７や筐体９などに固定される手段においても、固定可能なものであればよい。
【００５０】
蒸気カバー３５は、カバー取付部材３７を介して天井上部材７や筐体９に固定されるものとして説明したが、これに限定されるものではなく、例えば、蒸気カバー３５そのものが天井上部材７や筐体９に固定可能な形状を有していてもよく、天井上部材７や筐体９に直接固定されるものであっても勿論よい。
【００５１】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００５２】
【図１】第１の実施の形態に係るエレベータ用空調装置を示す斜視図である。
【図２】第１の実施の形態に係るエレベータ用空調装置を示す側面図である。
【図３】第１の実施の形態に係るエレベータ用空調装置を示す断面図である。
【図４】第１の実施の形態に係るエレベータ用空調装置の内部の概略構成を示す模式図である。
【図５】変更例１に係るエレベータ用空調装置を示す斜視図である。
【図６】変更例１に係る蒸気カバーのみを示す斜視図である。
【図７】変更例１に係るエレベータ用空調装置を示す側面図である。
【図８】変更例２に係るエレベータ用空調装置を示す斜視図を示す図である。
【図９】変更例３に係る蒸気カバーのみを示す斜視図・連結部分を示す図である。
【図１０】変更例３に係るエレベータ用空調装置を示す斜視図である。
【図１１】変更例３に係るエレベータ用空調装置を示す側面図である。
【図１２】変更例３に係るエレベータ用空調機近傍（かご上）を示す上面図である。
【図１３】第２の実施の形態に係るエレベータ用空調装置を示す斜視図である。
【図１４】第２の実施の形態に係るエレベータ用空調装置を示す側面図である（その１）。
【図１５】第２の実施の形態に係るエレベータ用空調装置を示す側面図である（その２）。
【符号の説明】
【００５３】
１…エレベータ用空調装置、３…かご上、５…取付ステー（空調装置取付ステー）、７…天井上部材、７Ａ…上梁、７Ｂ…シーブ梁、７Ｃ…ウデ、９…筐体、９Ａ…上板、９Ｂ…底板、９Ｃ…側板、９Ｄ…仕切板、９ａ，９ｃ吸気口、９ｂ，９ｄ…排気口、１０…ダクト、１１…内部機器、１３…冷風側ファン、１５…蒸発器、１７…圧縮器、１９…減圧装置、２１…排熱側ファン、２３…凝縮器、２５…ドレン受け、２７…ドレンパン、２９…ホース、３１…蒸散装置、３３…案内ノズル、３５…蒸気カバー（蒸気受止手段）、３５Ａ…第１カバー、３５Ｂ…第２カバー、３５ａ…付着面、３７…カバー取付部材、３９…水滴案内部、４１…固定手段、４３Ａ…第１折曲部、４３Ｂ…第２折曲部、４５…水滴集溜手段
【図１】
2009249127.tif 000003
【図２】
2009249127.tif 000004
【図３】
2009249127.tif 000005
【図４】
2009249127.tif 000006
【図５】
2009249127.tif 000007
【図６】
2009249127.tif 000008
【図７】
2009249127.tif 000009
【図８】
2009249127.tif 000010
【図９】
2009249127.tif 000011
【図１０】
2009249127.tif 000012
【図１１】
2009249127.tif 000013
【図１２】
2009249127.tif 000014
【図１３】
2009249127.tif 000015
【図１４】
2009249127.tif 000016
【図１５】
2009249127.tif 000017